(57)【特許請求の範囲】
【請求項１】
紙容器の製函充填機械における、頂部と底部とを開放した角筒状の紙容器ブランクを、間歇的に回転するシャフトに放射状に設けたマンドレルポールに順次挿入して、間歇的に回転しながら、折込み熱圧着手段で、底部を折込んで偏平に熱融着する底部製函用のマンドレル装置であって、
前記放射状のマンドレルポールの中心の近傍に、異なる内寸法の角筒状の紙容器ブランクを保持するためのストッパーと頂部保持部材とを、それぞれ大きい順に階段状に装着したことを特徴とする異寸法兼用のマンドレル装置。
【請求項２】
前記放射状のマンドレルポールの周端に、異なる内寸法の角筒状の紙容器ブランクに対応した底部保持部材を、それぞれ装着したことを特徴とする、請求項１に記載の異寸法兼用のマンドレル装置。
【発明の詳細な説明】
【０００１】
【発明の属する技術分野】
本発明は、日本酒や牛乳や調味料などを収容する、紙容器の製函充填機械における、頂部と底部とを開放した、異なる内寸法の角筒状の紙容器ブランクを、底部を折込んで偏平に熱融着する底部製函用の、ストッパーと頂部保持部材とを交換する必要がない、内寸法の切替えが容易な異寸法兼用のマンドレル装置に関する。
【０００２】
【従来の技術】
従来から、アルミニウム箔などのバリヤー層や適宜のシーラント層などを積層した紙材料製の、日本酒などを収容する３０００ｍｌ入りの一番大きい内寸法( ９５×９５ｍｍ ,３２５ｍｍｈ )の、また日本酒などを収容する２０００ｍｌ入り又は１８００ｍｌ入りの次に大きい内寸法( ８５×８５ｍｍ ,２７５又は２４５ｍｍｈ )の、さらに牛乳などを収容する１０００ｍｌ入りの中庸の内寸法( ７０×７０ｍｍ ,２００ｍｍｈ )の、またさらに調味料などを収容する６００ｍｌ入りの小さい内寸法( ６０×６０ｍｍ ,１６５ｍｍｈ )の、現在４種類の異なる内寸法の、図４Ａに示す切妻屋根形の液体用紙容器２１が、一般に幅広く用いられている。
【０００３】
これら異なる内寸法の、図４Ａに示す切妻屋根形の液体用紙容器２１については、間歇的に回転するシャフト２に設けた、６〜８本の放射状のマンドレルポール３ ,３ ,３ ,…の中心の近傍に、どれか１つの内寸法の、図５に示すストッパー５と頂部保持部材４とを、また前記放射状のマンドレルポール３ ,３ ,３ ,…の周端に、同じ内寸法の、図５に示す底部保持部材６を、それぞれ装着した、図示していない紙容器の製函充填機械の、マンドレルと通称する底部製函用の、図３に示すようなマンドレル装置において、
頂部と底部とを開放した、図４Ｂに示す角筒状の紙容器ブランク２０を、放射状に設けたマンドレルポール３ ,３ ,３ ,…に順次挿入して、頂端がストッパー５に衝突して固定した状態で、また頂部が頂部保持部材４に嵌合して角筒状に固定した状態で、さらに底部が底部保持部材６に嵌合して角筒状に固定した状態で、間歇的に回転しながら、図示していない折込み熱圧着手段で、図５Ｂに破線で示すように、底部を折込んで偏平に熱融着した後に、それぞれ図示していない充填工程と頂部製函工程とに搬送して、日本酒や牛乳や調味料などを収容して、図４Ａに示すように、頂部を折込んで切妻屋根形に熱融着して、商品として市場に出荷されるものである。
【０００４】
【発明が解決しようとする課題】
ところが、前述した紙容器の製函充填機械が、比較的高価であるなどの理由で、日本酒や牛乳や調味料などのメーカーでは、例えば３０００ｍｌ入りの一番大きい内寸法と２０００ｍｌ入り又は１８００ｍｌ入りの次に大きい内寸法とのような、また１８００ｍｌ入りの次に大きい内寸法と１０００ｍｌ入りの中庸の内寸法と６００ｍｌ入りの小さい内寸法とのような、２種類又は３種類以上の異なる内寸法の紙容器を、同一の製函充填機械で、内寸法を切替えて製函充填することが多いものであって、前述した紙容器の製函充填機械の、特に底部製函用のマンドレル装置においては、内寸法の切替えに伴って、６〜８本の放射状のマンドレルポール３ ,３ ,３ ,…の中心の近傍に、それぞれ装着されている６〜８組の、どれか１つの内寸法のストッパー５ ,５ ,５ ,…と同じ内寸法の頂部保持部材４ ,４ ,４ ,…とを、交換する必要があって、その交換切替えに、１５〜２０分の時間を要することが問題であった。
【０００５】
なお、６〜８本の放射状のマンドレルポール３ ,３ ,３ ,…の周端に、それぞれ装着されている６〜８個の、どれか１つの内寸法の底部保持部材６ ,６ ,６ ,…の交換切替えについては、それぞれの底部保持部材６が周端に装着されているために、５分程度で容易に交換することができるものであった。
【０００６】
そこで、本発明の目的は、日本酒や牛乳や調味料などを収容する、紙容器の製函充填機械における、頂部と底部とを開放した、異なる内寸法の角筒状の紙容器ブランク２０を、底部を折込んで偏平に熱融着する底部製函用の、ストッパー５と頂部保持部材４とを交換する必要がない、内寸法の切替えが容易な異寸法兼用のマンドレル装置を提供することにある。
【０００７】
【課題を解決するための手段】
本発明の異寸法兼用のマンドレル装置は、図１ ,図２ ,図３に示すように、図示していない紙容器の製函充填機械における、頂部と底部とを開放した、図４Ｂに示す角筒状の紙容器ブランク２０を、間歇的に回転するシャフト２に放射状に設けたマンドレルポール３ ,３ ,３ ,…に順次挿入して、間歇的に回転しながら、図示していない折込み熱圧着手段で、図１Ｂ ,図２Ａ ,Ｂに破線で示すように、底部を折込んで偏平に熱融着する底部製函用の( 図３に示す )マンドレル装置であって、
間歇的に回転するシャフト２に設けた、６〜８本( 図３では８本 )の放射状のマンドレルポール３ ,３ ,３ ,…の中心の近傍( 図１ ,図２では上部 )に、異なる内寸法の角筒状の紙容器ブランク２０を保持するためのストッパー５LL ,５L,５M,５S と頂部保持部材４LL ,４L,４M,４S とを、それぞれ大きい順に階段状に装着したことを特徴とする異寸法兼用のマンドレル装置である。
【０００８】
また、本発明の異寸法兼用のマンドレル装置は、前記放射状のマンドレルポール３ ,３ ,３ ,…の周端( 図１ ,図２では下端 )に、異なる内寸法の角筒状の紙容器ブランク２０に対応した底部保持部材６LL,L,M,Sを、それぞれ装着したことを特徴とする異寸法兼用のマンドレル装置である。
【０００９】
本発明の異寸法兼用のマンドレル装置においては、間歇的に回転するシャフト２に設けた、６〜８本の放射状のマンドレルポール３ ,３ ,３ ,…の中心の近傍に、異なる内寸法の角筒状の紙容器ブランク２０の、一番大きい内寸法のストッパー５LLと、一番大きい内寸法の頂部保持部材４LLを兼ねた次に大きい内寸法のストッパー５L と、次に大きい内寸法の頂部保持部材４L を兼ねた中庸の内寸法のストッパー５M と、中庸の内寸法の頂部保持部材４M を兼ねた小さい内寸法のストッパー５S と、小さい内寸法の頂部保持部材４S とを、図１Ａに示すように、それぞれ大きい順に階段状に装着したことによって、頂部と底部とを開放した、現在４種類の異なる内寸法の、どの内寸法の角筒状の紙容器ブランク２０であっても、放射状に設けたマンドレルポール３ ,３ ,３ ,…に順次挿入した時に、図１Ｂ ,図２Ａ ,Ｂに示すように、頂端が、必ずどれか１つのストッパー５LL,L,M,Sに衝突して、また頂部が、必ずどれか１つの頂部保持部材４LL,L,M,Sに嵌合して、それぞれ異なる内寸法の角筒状の紙容器ブランク２０の頂部を、どれか１つの高さを決める位置でどれか１つの内寸法の角筒状に固定することができる。
【００１０】
また、本発明の異寸法兼用のマンドレル装置においては、前記放射状のマンドレルポール３ ,３ ,３ ,…の周端に、異なる内寸法の角筒状の紙容器ブランク２０の、一番大きい内寸法の底部保持部材６LLと次に大きい内寸法の底部保持部材６L と中庸の内寸法の底部保持部材６M と小さい内寸法の底部保持部材６S との、どれか１つの対応した底部保持部材６LL,L,M,Sを、それぞれ装着したことによって、頂部と底部とを開放した、現在４種類の異なる内寸法の、どれか１つの内寸法の角筒状の紙容器ブランク２０を、放射状に設けたマンドレルポール３ ,３ ,３ ,…に順次挿入した時に、図１Ｂ ,図２Ａ ,Ｂに示すように、底部が、対応した底部保持部材６LL,L,M,Sに嵌合して、この角筒状の紙容器ブランク２０の底部を、どれか１つの内寸法の角筒状に固定することができる。
【００１１】
すなわち、本発明の異寸法兼用のマンドレル装置においては、異なる内寸法の、どれか１つの内寸法の角筒状の紙容器ブランク２０を、放射状に設けたマンドレルポール３ ,３ ,３ ,…に順次挿入して、頂部を、どれか１つの高さを決める位置でどれか１つの内寸法の角筒状に固定した状態で、また底部を、どれか１つの内寸法の角筒状に固定した状態で、間歇的に回転しながら、図示していない折込み熱圧着手段で、図１Ｂ ,図２Ａ ,Ｂに破線で示すように、底部を折込んで偏平に熱融着した後に、それぞれ図示していない充填工程と頂部製函工程とに搬送して、日本酒や牛乳や調味料などを収容して、例えば図４Ａに示すように、頂部を折込んで切妻屋根形に熱融着して、商品として市場に出荷することができる。
【００１２】
また異なる内寸法の、別の内寸法の角筒状の紙容器ブランク２０については、放射状に設けたマンドレルポール３ ,３ ,３ ,…に順次挿入した時に、前述したように、頂端が、必ずどれか１つのストッパー５LL,L,M,Sに衝突して、また頂部が、必ずどれか１つの頂部保持部材４LL,L,M,Sに嵌合して、別の内寸法の角筒状の紙容器ブランク２０の頂部を、別の高さを決める位置で別の内寸法の角筒状に固定することができるために、前述した従来のマンドレル装置とは異なって、内寸法の切替えに伴って、それぞれ大きい順に階段状に装着した、ストッパー５LL ,５L,５M,５S と頂部保持部材４LL ,４L,４M,４S とを交換する必要がなくて、前記放射状のマンドレルポール３ ,３ ,３ ,…の周端に、それぞれ装着した、どれか１つの対応した底部保持部材６LL,L,M,Sを、５分程度で容易に交換するだけで、頂部を別の高さを決める位置で別の内寸法の角筒状に固定した状態で、また底部を別の内寸法の角筒状に固定した状態で、間歇的に回転しながら、図示していない折込み熱圧着手段で、底部を折込んで偏平に熱融着することができる。
【００１３】
さらに異なる内寸法の、図４Ａに示す切妻屋根形の液体用紙容器２１の高さについては、現在４種類の異なる内寸法ごとの、ストッパー５LL ,５L,５M,５S の下端と対応した底部保持部材６LL,L,M,Sの下端との距離( 高さ )を、それぞれ適正に設定して装着することによって、放射状に設けたマンドレルポール３ ,３ ,３ ,…に順次挿入した時に、頂端がどれか１つのストッパー５LL,L,M,Sに衝突して、高さを決める位置で固定することができるために、底部を異なる内寸法の角筒状に固定した、切妻屋根形の液体用紙容器２１の高さ( 図４Ａ ,Ｂの折り目線ａ ,ａを参照 )を決める、どれか１つの対応した底部保持部材６LL,L,M,Sの下端に沿って、異なる内寸法の角筒状の紙容器ブランク２０の底部を、正確に折込んで偏平に熱融着することができる。
【００１４】
なお、日本酒などを収容する２０００ｍｌ入り又は１８００ｍｌ入りのような、同じ内寸法( ８５×８５ｍｍ )で高さだけが異なる場合( ２７５又は２４５ｍｍｈ )には、図２Ａに破線ｂで示すように、底部保持部材６L の厚さを変えることによって、ストッパー５L の下端と底部保持部材６L の下端との距離( 高さ )を、それぞれ適正に設定して装着することができる。
【００１５】
【発明の実施の形態】
本発明の異寸法兼用のマンドレル装置においては、現在市場に出荷されている４種類の異なる内寸法の、図４Ａに示す紙容器の製函充填機械における、異寸法兼用のマンドレル装置について記述したものであるが、将来の５種類以上の異なる内寸法の、異寸法兼用のマンドレル装置についても、間歇的に回転するシャフト２に設けた、６〜８本の放射状のマンドレルポール３ ,３ ,３ ,…の中心の近傍に、異なる内寸法の角筒状の紙容器ブランク２０の、一番大きい内寸法のストッパー５LLと小さい内寸法の頂部保持部材４S との間に、一番大きい内寸法の頂部保持部材４LLを兼ねた次に大きい内寸法のストッパー５L と、次に大きい内寸法の頂部保持部材４L を兼ねた中庸の内寸法のストッパー５M と……のような、４種類以上の一段大きい内寸法の頂部保持部材４ ,４ ,４ ,…を兼ねたストッパー５ ,５ ,５ ,…を、それぞれ大きい順に階段状に装着することによって、また前記放射状のマンドレルポール３ ,３ ,３ ,…の周端に、異なる内寸法の角筒状の紙容器ブランク２０の、一番大きい内寸法の底部保持部材６LLと次に大きい内寸法の底部保持部材６L と……のような、５種類以上の内寸法の底部保持部材６ ,６ ,６ ,…の、どれか１つの対応した底部保持部材６を、それぞれ装着することによって、同様に対応することができる。
【００１６】
また、本発明の異寸法兼用のマンドレル装置においては、それぞれの頂部保持部材４LL ,４L,４M,４S の側面の下部全周に、図５Ａ ,Ｂに示す傾斜面ｃ ,ｃ ,ｃ ,ｃを設けることによって、頂部と底部とを開放した、図４Ｂに示す角筒状の紙容器ブランク２０を、放射状に設けたマンドレルポール３ ,３ ,３ ,…に順次挿入した時に、角筒状の紙容器ブランク２０の頂部の、どれか１つの頂部保持部材４LL,L,M,Sへの嵌合を容易にして、角筒状の紙容器ブランク２０の頂端の、変形や破損などを防止することが好ましい。
【００１７】
【実施例】
図１Ａは、本発明の実施例における、異寸法兼用のマンドレル装置の部分斜視図であって、図１Ｂは、異寸法兼用のマンドレル装置の部分断面図である。
また図２Ａ ,Ｂは、本発明の実施例における、異寸法兼用のマンドレル装置の部分断面図である。
さらに図３は、本発明の実施例における、異寸法兼用のマンドレル装置の側面説明図である。
【００１８】
本発明の実施例における、異寸法兼用のマンドレル装置は、間歇的に回転するシャフト２に設けた、８本の放射状の、小さい内寸法( ６０×６０ｍｍ ,以下同じ )の頂部保持部材４S を兼ねた角柱状のマンドレルポール３ ,３ ,３ ,…の中心の近傍( 図１ ,図２では上部 )に、異なる内寸法の角筒状の紙容器ブランク２０の、一番大きい内寸法( ９５×９５ｍｍ ,以下同じ )のストッパー５LLと、一番大きい内寸法の頂部保持部材４LLを兼ねた次に大きい内寸法( ８５×８５ｍｍ ,以下同じ )のストッパー５L と、次に大きい内寸法の頂部保持部材４L を兼ねた中庸の内寸法( ７０×７０ｍｍ ,以下同じ )のストッパー５M と、中庸の内寸法の頂部保持部材４M を兼ねた小さい内寸法のストッパー５S とを、それぞれ大きい順に階段状に、一体に成型して装着して、
また前記放射状の、小さい内寸法の底部保持部材６S を兼ねた角柱状のマンドレルポール３ ,３ ,３ ,…の周端( 図１ ,図２では下端 )に、異なる内寸法の角筒状の紙容器ブランク２０の、一番大きい内寸法の底部保持部材６LLと次に大きい内寸法の底部保持部材６L と中庸の内寸法の底部保持部材６M と( 角柱状のマンドレルポール３が兼ねた小さい内寸法の底部保持部材６S と )の、どれか１つの対応した底部保持部材６LL,L,M,(S)を、それぞれ装着した異寸法兼用のマンドレル装置である。
【００１９】
本実施例の、前述した角柱状のマンドレルポール３ ,３ ,３ ,…の周端に、一番大きい内寸法の底部保持部材６LLを、それぞれ装着した、図１Ａ ,Ｂに示す異寸法兼用のマンドレル装置においては、頂部と底部とを開放した、一番大きい内寸法の、図４Ｂに示す角筒状の紙容器ブランク２０を、８本の放射状に設けたマンドレルポール３ ,３ ,３ ,…に順次挿入して、図１Ｂに示すように、頂端が、それぞれ大きい順に階段状に装着したストッパー５LL ,５L,５M,５S の、一番大きい内寸法のストッパー５LLに衝突して、高さ３２５ｍｍを決める位置で固定した状態で、また頂部が、それぞれ大きい順に階段状に装着した頂部保持部材４LL ,４L,４M,４S の、一番大きい内寸法の頂部保持部材４LLに嵌合して、９５×９５ｍｍの角筒状に固定した状態で、さらに底部が、それぞれ装着した一番大きい内寸法の底部保持部材６LLに嵌合して、９５×９５ｍｍの角筒状に固定した状態で、間歇的に回転しながら、図示していない折込み熱圧着手段で、図１Ｂに破線で示すように、底部を折込んで偏平に熱融着した後に、それぞれ図示していない充填工程と頂部製函工程とに搬送して、３０００ｍｌの日本酒などを収容して、図４Ａに示すように、頂部を折込んで切妻屋根形に熱融着して、商品として市場に出荷することができる。
【００２０】
また本実施例の、前述した角柱状のマンドレルポール３ ,３ ,３ ,…の周端に、次に大きい内寸法の底部保持部材６L を、それぞれ装着した、図２Ａに示す異寸法兼用のマンドレル装置においては、頂部と底部とを開放した、次に大きい内寸法の、図４Ｂに示す角筒状の紙容器ブランク２０を、８本の放射状に設けたマンドレルポール３ ,３ ,３ ,…に順次挿入して、図２Ａに示すように、頂端が、それぞれ大きい順に階段状に装着したストッパー５LL ,５L,５M,５S の、次に大きい内寸法のストッパー５L に衝突して、高さ２７５ｍｍを決める位置で固定した状態で、また頂部が、それぞれ大きい順に階段状に装着した頂部保持部材４LL ,４L,４M,４S の、次に大きい内寸法の頂部保持部材４L に嵌合して、８５×８５ｍｍの角筒状に固定した状態で、さらに底部が、それぞれ装着した次に大きい内寸法の底部保持部材６L に嵌合して、８５×８５ｍｍの角筒状に固定した状態で、間歇的に回転しながら、図示していない折込み熱圧着手段で、図２Ａに破線で示すように、底部を折込んで偏平に熱融着した後に、同様に２０００ｍｌの日本酒などを収容して、商品として市場に出荷することができる。
【００２１】
さらに本実施例の、前述した角柱状のマンドレルポール３ ,３ ,３ ,…が、小さい内寸法の頂部保持部材４S と小さい内寸法の底部保持部材６S とを、それぞれ兼ねた、図２Ｂに示す異寸法兼用のマンドレル装置においては、頂部と底部とを開放した、小さい内寸法の、図４Ｂに示す角筒状の紙容器ブランク２０を、８本の放射状に設けたマンドレルポール３ ,３ ,３ ,…に順次挿入して、図２Ｂに示すように、頂端が、それぞれ大きい順に階段状に装着したストッパー５LL ,５L,５M,５S の、小さい内寸法のストッパー５S に衝突して、高さ１６５ｍｍを決める位置で固定した状態で、また頂部とさらに底部とが、それぞれ小さい内寸法の頂部保持部材４S と小さい内寸法の底部保持部材６S とを兼ねた、角柱状のマンドレルポール３ ,３ ,３ ,…に嵌合して、それぞれ６０×６０ｍｍの角筒状に固定した状態で、間歇的に回転しながら、図示していない折込み熱圧着手段で、図２Ｂに破線で示すように、底部を折込んで偏平に熱融着した後に、同様に６００ｍｌの調味料などを収容して、商品として市場に出荷することができる。
【００２２】
すなわち、本発明の実施例における、異寸法兼用のマンドレル装置においては、頂部と底部とを開放した、前述した異なる内寸法の、図４Ｂに示す角筒状の紙容器ブランク２０を、内寸法を切替えて、８本の放射状に設けたマンドレルポール３ ,３ ,３ ,…に順次挿入して、間歇的に回転しながら、図示していない折込み熱圧着手段で、底部を折込んで偏平に熱融着する時に、図１Ａ ,Ｂ ,図２Ａ ,Ｂに示すように、それぞれ大きい順に階段状に装着した、ストッパー５LL ,５L,５M,５S と頂部保持部材４LL ,４L,４M,４S とを交換する必要がなくて、前述した角柱状のマンドレルポール３ ,３ ,３ ,…の周端に、それぞれ装着した、前述した異なる内寸法に対応した底部保持部材６LL,L,M,(S)を、取外して交換するだけで、５分程度で容易に内寸法を切替えることができる。
【００２３】
【発明の効果】
以上、実施例ほかに示すとおり、本発明の異寸法兼用のマンドレル装置においては、日本酒や牛乳や調味料などを収容する、紙容器の製函充填機械における、頂部と底部とを開放した、異なる内寸法の角筒状の紙容器ブランク２０を、底部を折込んで偏平に熱融着する底部製函用の、ストッパー５LL ,５L,５M,５S と頂部保持部材４LL ,４L,４M,４S とを交換する必要がなくて、異なる内寸法に対応した底部保持部材６LL,L,M,Sを交換するだけで、容易に内寸法を切替える異寸法兼用のマンドレル装置を提供することができる。
【図面の簡単な説明】
【図１】本発明の実施例における、図１Ａは、異寸法兼用のマンドレル装置の部分斜視図であって、図１Ｂは、異寸法兼用のマンドレル装置の部分断面図である。
【図２】本発明の実施例における、図２Ａ ,Ｂは、異寸法兼用のマンドレル装置の部分断面図である。
【図３】本発明の実施例における、異寸法兼用のマンドレル装置の側面説明図である。
【図４】図４Ａ ,Ｂは、現在の切妻屋根形の液体用紙容器２１と角筒状の紙容器ブランク２０との、それぞれ斜視図である。
【図５】図５Ａは、従来のマンドレル装置の部分斜視図であって、図５Ｂは、従来のマンドレル装置の部分断面図である。
【符号の説明】
２                    …シャフト
３                    …マンドレルポール
４ ,４LL ,４L,４M,４S …頂部保持部材
５ ,５LL ,５L,５M,５S …ストッパー
６ ,６LL ,６L,６M,６S …底部保持部材
２０                  …紙容器ブランク
２１                  …液体用紙容器
ａ                    …折り目線
ｂ                    …破線
ｃ                    …傾斜面
【図１】
0004556338.tif 000002
【図２】
0004556338.tif 000003
【図３】
0004556338.tif 000004
【図４】
0004556338.tif 000005
【図５】
0004556338.tif 000006